(57)【特許請求の範囲】
【請求項１】
本の一方側表紙の先端縁側を挿入する挿し込み袋部を先端部内面に形成した一方表紙覆い部材と、本の他方側表紙の先端縁側を挿入する挿し込み袋部を先端部内面に形成した他方表紙覆い部材とを備え、
前記一方表紙覆い部材の外面に止め釦を取り付けるとともに、この止め釦より内側に本の上下方向と平行な挿し込み溝を形成し、
前記他方表紙覆い部材には本の他方側表紙側から一方側表紙側に折り返して本の背表紙を覆う背表紙覆い部を一体に形成し、この背表紙覆い部の先端縁に前記一方表紙覆い部材の挿し込み溝に挿入する挿し込み片を突設するとともに、前記止め釦に巻き付ける紐を取り付けた
ことを特徴とするブックカバー。
【請求項２】
他方表紙覆い部材の背表紙覆い部側の近傍にしおり紐を取り付けたことを特徴とする請求項１記載のブックカバー。
【発明の詳細な説明】
【技術分野】
【０００１】
本発明は、本の背側の厚み変化に応じて使用できるブックカバーに関する。
【背景技術】
【０００２】
従来、ブックカバーは、本の覆い部の両先端縁側に裏表の表紙の先端縁側を挿入する挿し込み袋部を形成した構造で、両表紙覆い部は本の裏表の両表紙の幅寸法に合わせて形成し、背表紙部は本の背幅（厚み）の平均的な寸法に合わせて一定の寸法に形成され、本の背表紙の幅（厚み）が異なると、特に背幅（厚み）が大きい本には利用ができなかった。
【０００３】
そこで、本の裏表の表紙部をそれぞれ覆う２つの表紙覆い部材と本の背部を覆う背表紙覆い部材とにて構成し、この２つの表紙覆い部材にそれぞれ形成した挿し込み袋部に本の裏表の表紙を挿し込み、この２つの表紙覆い部材と背表紙覆い部材とを面ファスナーにて接合するようにしたブックカバーが提案されている（特許文献１）。
【特許文献１】実用新案登録第３０３１８９８号公報
【発明の開示】
【発明が解決しようとする課題】
【０００４】
解決しようとする問題点は、上記特許文献１に示す構造では、２つの表紙覆い部材と背表紙覆い部材の３個の覆い部材にて構成され、部材数が多く、２つの表紙覆い部材と背表紙覆い部材とにそれぞれ互いに係脱可能に接合する面ファスナーを取り付ける作業が必要で、製造作業工数が多く、さらに、面ファスナーは接合、離脱の反復作業で劣化しやすく、使用中に背表紙覆い部材が表紙覆い部材から剥離するおそれがあるものである。
【０００５】
本発明は、上記問題点に鑑みなされたもので、２つの表紙覆い部材で部品数が少なく、厚みの異なる本にも確実に装着でき、構造が簡単で反復使用に耐え得るブックカバーを提供するものである。
【課題を解決するための手段】
【０００６】
本発明のブックカバーは、本の一方側表紙の先端縁側を挿入する挿し込み袋部を先端部内面に形成した一方表紙覆い部材と、本の他方側表紙の先端縁側を挿入する挿し込み袋部を先端部内面に形成した他方表紙覆い部材とを備えている。また、前記一方表紙覆い部材の外面に止め釦を取り付けるとともに、この止め釦より内側に本の上下方向と平行な挿し込み溝を形成する。さらに、前記他方表紙覆い部材には本の他方側表紙側から一方側表紙側に折り返して本の背表紙を覆う背表紙覆い部を一体に形成し、この背表紙覆い部の先端縁に前記一方表紙覆い部材の挿し込み溝に挿入する挿し込み片を突設するとともに、前記止め釦に巻き付ける紐を取り付けたものである。
【０００７】
そして、本の一方側表紙の先端縁側を一方表紙覆い部材の先端部内面に形成した挿し込み袋部に挿入する。また、本の他方側表紙の先端縁側を他方表紙覆い部材の先端部内面に形成した挿し込み袋部に挿入する。次いで、他方表紙覆い部材の背表紙覆い部を本の他方側表紙側から一方側表紙側に折り返して背表紙覆い部にて本の背表紙を覆う。さらに、他方表紙覆い部材の背表紙覆い部の先端縁に突設した挿し込み片を前記一方表紙覆い部材の挿し込み溝に挿入し、前記止め釦に紐を巻き付ける。
【０００８】
また、他方表紙覆い部材の背表紙覆い部側の近傍にしおり紐を取り付ける。
【０００９】
そして、しおり紐を本の頁間に挟み込み、しおりとして使用する。
【発明の効果】
【００１０】
本発明のブックカバーは、本の背表紙の幅、すなわち、本の厚みが異なっていても、それぞれの本に確実にブックカバーを装着でき、ブックカバーを本に装着する作業性が容易で、反復使用しても劣化する部分がなく、長期間にわたって使用できる。
【発明を実施するための最良の形態】
【００１１】
本発明のブックカバーの一実施の形態を図面に基づいて説明する。
【００１２】
本１の一方側表紙２を覆う一方表紙覆い部材３と本１の他方側表紙４を覆う他方表紙覆い部材５とを備えている。この一方表紙覆い部材３と他方表紙覆い部材５とは皮革、合成樹脂レザークロスなどにて、本１の表側となる一方側表紙２と裏側となる他方側表紙４と略同一の大きさに成形されている。
【００１３】
この一方表紙覆い部材３は、先端部内面には本１の一方側表紙２の先端縁側を挿入する挿し込み袋部６が形成され、この挿し込み袋部６は一方表紙覆い部材３の先端側の延在部７を内側に折り返し、この延在部７の上下縁部を一方表紙覆い部材３の上下縁部に逢着して形成する。
【００１４】
また、前記他方表紙覆い部材５は、先端部内面には本１の他方側表紙４の先端縁側を挿入する挿し込み袋部８が形成され、この挿し込み袋部８は他方表紙覆い部材５の先端側の延在部９を内側に折り返し、この延在部９の上下縁部を他方表紙覆い部材５の上下縁部に逢着して形成する。
【００１５】
さらに、前記一方表紙覆い部材３の外面に止め釦10を糸材17にて取り付けるとともに、この止め釦10より内側に位置して、本１の背表紙11の上下方向と平行な挿し込み溝12を形成する。
【００１６】
また、前記他方表紙覆い部材５には本１の他方側表紙４側から一方側表紙２側に折り返して本１の背表紙11を覆う背表紙覆い部13を一体に延在形成する。この背表紙覆い部13の先端縁中央部から前記一方表紙覆い部材３の挿し込み溝12に挿入する挿し込み片14を一体に突設する。
【００１７】
さらに、前記挿し込み片14の基部には前記止め釦10に巻き付ける紐15を取り付け、また、他方表紙覆い部材５の背表紙覆い部13側の近傍にしおり紐16を取り付ける。
【００１８】
次に、この実施の形態の作用を説明する。
【００１９】
本１の一方側表紙２の先端縁側を一方表紙覆い部材３の先端部内面に形成した挿し込み袋部６に挿入する。
【００２０】
また、本１の他方側表紙４の先端縁側を他方表紙覆い部材５の先端部内面に形成した挿し込み袋部８に挿入する。
【００２１】
次いで、他方表紙覆い部材５の背表紙覆い部13を本１の他方側表紙４側から一方側表紙２側に折り返して背表紙覆い部13にて本１の背表紙11を覆う。
【００２２】
さらに、他方表紙覆い部材５の背表紙覆い部13の先端縁に突設した挿し込み片14を前記一方表紙覆い部材３の挿し込み溝12に挿入し、この状態で、前記止め釦10の裏面側の糸材17に紐15を巻き付ける。
【００２３】
この状態で、一方表紙覆い部材３と他方表紙覆い部材５は、挿し込み袋部６，８に本１の両表紙２，４の先端縁側を挿し込んだ状態で、他方表紙覆い部材５に延在した背表紙覆い部13が一方表紙覆い部材３の挿し込み溝12に挿し込まれて紐15と止め釦10との係合で、本１に確実に装着され、本１の背表紙11の幅、すなわち、本１の厚みが異なっていても、一方表紙覆い部材３と他方表紙覆い部材５の背表紙覆い部13との重ね合わせ寸法を変えることによりそれぞれの本１に確実に装着でき、一方表紙覆い部材３と他方表紙覆い部材５を本１に装着する作業性が容易で、反復使用しても面ファスナーのように劣化する部分がなく、長期間にわたって使用できる。
【００２４】
また、一方表紙覆い部材３と他方表紙覆い部材５とにて構成されるブックカバーを本１に装着した状態で、しおり紐16を本１の頁間に挟み込み、しおりとして使用する。
【図面の簡単な説明】
【００２５】
【図１】本発明の一実施の形態を示すブックカバーを本に装着した状態の斜視図である。
【図２】同上本から外した状態を示すブックカバーの斜視図である。
【図３】同上本から外した状態を示すブックカバーの内面を示す背面図である。
【図４】同上本から外した状態を示すブックカバーの内面を示す正面図である。
【符号の説明】
【００２６】
１    本
２    本の一方側表紙
３    一方表紙覆い部材
４    本の他方側表紙
５    他方表紙覆い部材
６，８    挿し込み袋部
10    止め釦
11    本の背表紙
12    挿し込み溝
13    背表紙覆い部
14    挿し込み片
15    紐
16    しおり紐
【図１】
0004624444.tif 000002
【図２】
0004624444.tif 000003
【図３】
0004624444.tif 000004
【図４】
0004624444.tif 000005